(57)【要約】  【課題】  ドレンホースの取り付け状態を安定させる。ドレンホースの取り外し形態を工事用とサービス用とで異ならせる。  【解決手段】  ドレンホース４をドレンコック２に圧入するとき、ドレン固定具３のスプリング挟持バネ部３ａでドレンホース４の周溝４ａを挟持し、ドレン固定具３の止着部３ｄはドレンコック２の軸方向の上側の位置で該軸方向に平行な方向から本体１のボス１ａにネジ５により固定する。【選択図】  図１
2006145064.tif 000002
【特許請求の範囲】
【請求項１】
本体にドレンパンからの排水を排出するドレンコックを設け、該ドレンコックに対してドレン固定具によりドレンホースを取り付ける構造を有する空気調和機において、
前記ドレン固定具は、前記ドレンホースを弾性的に着脱自在に挟持する第１固定部と、前記本体に対して着脱自在に取り付けられる第２固定部とを有することを特徴とする空気調和機。
【請求項２】
請求項１に記載の空気調和機において、
前記ドレンコックを前記本体背面側に設け、前記第２固定部は前記本体に対して前記ドレンコックよりも上側の位置で取り付けられるようにしたことを特徴とする空気調和機。
【請求項３】
請求項１又は２に記載の空気調和機において、
前記第１固定部は、前記ドレンホースの周溝に嵌り込む拡開用摘み付きのスプリング挟持バネからなることを特徴とする空気調和機。
【請求項４】
請求項２に記載の空気調和機において、
前記第２固定部は、前記本体に形成した係止穴に対して弾性的に係止するフックからなることを特徴とする空気調和機。
【発明の詳細な説明】
【技術分野】
【０００１】
本発明は、本体から突出するドレンコックにドレンホースを取り付ける構造について改良を図った空気調和機に関するものである。
【背景技術】
【０００２】
空気調和機では、その冷房運転やドライ運転の際に、室内機の熱交換機に凝縮水が発生してドレンパンに溜まり、その凝縮水がドレンパンから溢れると、ドレンコックからドレンホースを介して室外に排出される。ドレンホース４は、図８に示すように、空気調和機の据付工事時に本体１の裏面に突出するドレンコック２に対して圧入して取り付けている。あるいは金具を使用して取り付けている（例えば、特許文献１参照）。
【特許文献１】特願２００４−０９３０４９号公報
【発明の開示】
【発明が解決しようとする課題】
【０００３】
ところが、ドレンコックにドレンホースを圧入して取り付ける方式はドレンホースが抜けやすい問題があり、一方、金具を使用する方式は一旦取り付けた後にドレンホースを左右の一方のドレンコックから他方のドレンコックに付け替える場合や、室内機を修理する際の一時的なドレンホースの取り外し等の場合に、その作業が困難になるという問題がある。
【０００４】
本発明の目的は、ドレンホースを一旦取り付けた後はその取り付け状態が安定し、しかもドレンホースを左右の一方のドレンコックから他方のドレンコックに付け替える場合や、室内機を修理する際の一時的なドレンホースの取り外し等が容易となったドレンホース取付構造を有する空気調和機を提供することである。
【課題を解決するための手段】
【０００５】
請求項１にかかる発明は、本体にドレンパンからの排水を排出するドレンコックを設け、該ドレンコックに対してドレン固定具によりドレンホースを取り付ける構造を有する空気調和機において、前記ドレン固定具は、前記ドレンホースを弾性的に着脱自在に挟持する第１固定部と、前記本体に対して着脱自在に取り付けられる第２固定部とを有することを特徴とする。
【０００６】
請求項２にかかる発明は、請求項１に記載の空気調和機において、前記ドレンコックを前記本体背面側に設け、前記第２固定部は前記本体に対して前記ドレンコックよりも上側の位置で取り付けられるようにしたことを特徴とする。
【０００７】
請求項３にかかる発明は、請求項１又は２に記載の空気調和機において、前記第１固定部は、前記ドレンホースの周溝に嵌り込む拡開用摘み付きのスプリング挟持バネからなることを特徴とする。
【０００８】
請求項４にかかる発明は、請求項２に記載の空気調和機において、前記第２固定部は、前記本体に形成した係止穴に対して弾性的に係止するフックからなることを特徴とする。
【発明の効果】
【０００９】
請求項１にかかる発明によれば、ドレンコックに圧入されたドレンホースはドレン固定具の第１固定部により弾性的に挟持され、そのドレン固定具は第２固定部により本体に固定されるので、２カ所のいずれでもドレンホースの着脱が可能となり、その着脱作業が容易になると共に、そのドレンホースの取付状態は安定化する。
【００１０】
請求項２にかかる発明によれば、ドレン固定具の第２固定部が本体に対してドレンコックよりも上側の位置で取り付けられ、この取付位置はドレンホースでは隠れない位置であるので、第１固定部がドレンホースにより隠れていても、工事業者は第２固定部によりそのドレンホースを付け替えることができ、工事時の作業性が向上する。
【００１１】
請求項３にかかる発明によれば、第１固定部はその着脱作業にネジが不要となり、作業性が向上する。
【００１２】
請求項４にかかる発明によれば、第２固定部はその着脱作業にネジが不要となり、作業性が向上する。
【発明を実施するための最良の形態】
【００１３】
本実施例では、ドレンコックに圧入されるドレンホースにドレン固定具の第１固定部を弾性的に着脱自在に取り付け、ドレン固定具は第２固定部によりネジにより本体に着脱自在に取り付け、２カ所のいずれでもドレンホースの着脱が可能なようにする。以下、詳しく説明する。
【実施例１】
【００１４】
図１〜図４は本発明の実施例１のドレンホース取付構造の説明図である。１は室内機の熱交換器の下部に位置するドレンパン背面の本体、２はその本体１から背面方向に突出するよう形成されたドレンコック、３はドレン固定具、４はドレンホース、５はネジである。
【００１５】
ドレン固定具３には、ドレンホース４を挟持できる大きさのスプリング挟持バネ部３ａ（第１固定部）、そのスプリング挟持バネ部３ａの両先端に形成された拡開用摘み３ｂ，３ｃ、および本体１のボス１ａにネジ５により止着される止着部３ｄ（第２固定部）が形成されている。この止着部３ｄは拡開用摘み３ｂ、３ｃと反対側に形成されている。また、ドレンホース４にはその先端に周溝４ａが形成されている。
【００１６】
ドレンホース４をドレンコック２に取り付けるには、まずドレンホース４の周溝４ａにドレン固定具３のスプリング挟持バネ部３ａを拡開用摘み３ｂ、３ｃにより広げて挟持し、ドレンホース４にドレン固定具３を一体化する。そして、ドレンホース４をドレンコック２に圧入する。このとき、ドレン固定具３を拡開用摘み３ｂ、３ｃの部分を図４に示す矢印の方向に押さえて拡開して緩めると、その圧入が容易となる。この後、ドレンコック２の軸方向に平行な方向からネジ５によってドレン固定具３の止着部３ｄをドレンコック２のボス１ａに固定する。
【００１７】
以上により、ドレンホース４はドレンコック２に対して脱落不能に圧入される。このとき、ネジ５はドレンコック２の左上側で本体１のボス１ａに取り付けられ、ドレン固定部３の摘み３ｂ、３ｃはドレン固定具３の右下側に位置する（図２、図４参照）。このようにして取り付けられたドレンホース４は、ネジ５を取り外せばドレン固定具３と共にドレンコック２から取り外すことができる。また、このドレンホース４は、ドレン固定具３のスプリング挟持バネ部３ａを緩めればドレン固定具３から取り外され、このときドレン固定具３はドレンコック２の側に残る。
【００１８】
梱包状態の室内機は、図５に示すように、ドレンホース４が本体１の背面左下側のドレンコック２に取り付けられて右方向に曲折（４Ａ）されている。据付工事では梱包を外してこのまま壁面に取り付けることもあるが、壁面に穿った穴の位置によっては、ドレンホース４を本体１の背面右下側のドレンコック２’に付け替える必要が生じる。この場合は、ドレンホース４を左下側のドレンコック２から取り外す必要がある。このとき、ドレン固定具３の拡開用摘み３ｂ、３ｃは曲折したドレンホース４で隠れているが、ドレンコック２よりも上側にあるネジ５は背面に露出しているので、このネジ５を外すことにより簡単にそのドレンホース４をドレンコック２からはずして右下側のドレンコック２’に付け替えることができる。なお、図５ではドレン固定具３は省略した。
【００１９】
また、一旦据え付けた室内機のドレンホース４を本体１の背面の左下側のドレンコック２から右下側のドレンコック２’に、あるいはその逆に付け替える場合（これは室内機の取付位置を変更するような場合に発生する）にも、ネジ５を取り外してドレン固定具３と一緒に取り付け替えることで簡単に行える。このとき、ドレンホース４の引出方向は、図５に示すように、室内機の真裏方向（４B)、下方向（４C)又は横外側方向（４D)であるので、下側で行うドレン固定具３の拡開用摘み３ｂ、３ｃを広げて取り外しや締め付け作業に場合に比べて、上側で行うネジ５の取り外しや締め付け作業の方が容易となり、作業性が向上する。
【００２０】
なお、以上の説明では、ネジ５の本体１のボス１ａへのネジ止め位置は、ドレンコック２の左上である。この位置は図５に示すように、ドレンコック２が本体１の裏面の左下側にある場合に好適である。しかし、本体１の右下側に設けられたドレンコック２’にドレンホース２を取り付ける場合は、裏面右側に作業スペースができるので、ネジ５の本体１へのネジ止めのためのボスの位置は、符号１ａ’で示すように、ドレンコック２’の右上が好ましい。すなわち、ネジ５はドレンコック２の側では上側、上左側あるいは左側、ドレンコック２’の側では上側、上右側あるいは右側であれば、ドレンホース４で隠れないため作業がし易い。
【００２１】
一方、室内機の外装ケースを外すような、例えば修理や清掃のようなサービスの場合には、室内機を壁面から浮かして下方から作業することになるので、下側に位置する拡開用摘み３ｂ，３ｃの操作によりドレンホース４を一時的に取り外せば済む。このとき、上側のネジ５を取り外すことに比べて、下側での作業は極めて簡単となり、サービス性が向上する。
【実施例２】
【００２２】
図６，図７は本発明の実施例２のドレンホース取付構造の説明図である。本実施例２では、ドレン固定具３のスプリング挟持バネ部３ａの略中間部分に、止着部３ｄに代えて、延長腕３ｅとその延長腕３ｅの先端を折り曲げたフック３ｆ（第２固定部）とを形成し、本体１のボス１ａにフック３ｆが挿入する穴１ｂとその穴１ｂの奥側から側面に開口した係止穴１ｃを形成した点が、実施例１と異なる。
【００２３】
ドレンホース４をドレンコック２に取り付けるには、実施例１の場合と同様にドレンホース４にドレン固定具３をスプリング挟持バネ部３ａにより一体化してから、ドレンホース４をドレンコック２に圧入する際に、ドレン固定部３の延長腕３ｅを図６の矢印方向に若干たわませてボス１ａの穴１ｂに挿入しフック３ｆが係止穴１ｃから突出するまで押し込む。
【００２４】
これにより、図７に示すように、ドレン固定具３のフック３ｆが係止穴１ｃに係止し、ドレンホース４のドレンコック２からの引き抜けが防止される。
【００２５】
このようにして取り付けられたドレンホース４は、ドレン固定具３の延長腕３ｅを押してたわませフック３ｆを係止穴１ｃから外せば、この状態でドレン固定具３と共にドレンコック２から引き抜くことができる。また、このドレンホース４は、ドレン固定具３のスプリング挟持バネ部３ａを緩めればドレン固定具３から取り外され、このときドレン固定具３はドレンコック２の側に残る。
【図面の簡単な説明】
【００２６】
【図１】実施例１のドレンホース取付構造の分解斜視図である。
【図２】実施例１のドレンホース取付構造の結合斜視図である。
【図３】実施例１のドレンホース取付構造の結合側面図である。
【図４】実施例１のドレン固定具の作用説明図である。
【図５】本体裏面からのドレンホース引出形態の説明図である。
【図６】実施例２のドレンホース取付構造の分解斜視図である。
【図７】(a)は実施例２のドレンホース取付構造の結合斜視図、(b)はボスの部分へのドレン固定具の係止構造の断面図である。
【図８】従来のドレンホース取付構造の分解斜視図である。
【符号の説明】
【００２７】
１：本体、１ａ，１ａ’：ボス、１ｂ：穴、１ｃ：係止穴
２，２’：ドレンコック
３：ドレン固定具、３ａ：スプリング挟持バネ部（第１固定部）、３ｂ，３ｃ：拡開用摘み、３ｄ：止着部（第２固定部）、３ｅ：延長腕、３ｆ：フック（第２固定部）
４：ドレンホース
４ａ：周溝
５：ネジ
【図１】
2006145064.tif 000003
【図２】
2006145064.tif 000004
【図３】
2006145064.tif 000005
【図４】
2006145064.tif 000006
【図５】
2006145064.tif 000007
【図６】
2006145064.tif 000008
【図７】
2006145064.tif 000009
【図８】
2006145064.tif 000010